(57)【要約】【課題】医療モール用として提供される不動産物件情報等を提供するための医療モール構築用情報提供システム、並びに、当該医療モール構築用情報提供システムにおいて使用される医療モール構築用情報提供プログラムの提供を目的とする。【解決手段】情報提供システム１は、サーバ１０を有し、これに通信網を介してクライアント用端末１００を接続可能とされている。サーバ１０には、医療モール用不動産物件に関する不動産情報を蓄積した物件情報データベース２１等が格納されている。クライアント用端末１００をサーバ１０に対して接続してログインすると、サーバ１０にインストールされている情報提供プログラムが作動し、クライアント用端末１００側から設定された検索条件に合致する医療モール用不動産物件がないか検索することができる。【選択図】図１
2008192086.tif 000002
【特許請求の範囲】
【請求項１】
複数の医療機関が所定の不動産物件内に集結して構成される医療モールの構築に際して、複数の医療モール用不動産物件の物件情報を管理し、提供するための医療モール構築用情報提供システムであって、
複数の医療モール用不動産物件に関する情報に基づいて構築された物件情報データベースを有し、
当該物件情報データベースが、医療モール用不動産物件に関する不動産情報、並びに、前記医療モール用不動産物件において参入可能な医療機関の診療科の種類に関する診療科情報を各医療モール毎に関連づけて形成されたものであり、
医療モール用不動産物件に関する条件及び／又は診療科に関する検索条件を設定することにより、前記物件情報データベースに登録されている医療モール用不動産物件から、前記検索条件の一部又は全部に合致する医療モール用不動産物件を検索して選定し、当該選定された医療モール用不動産物件に関する不動産情報及び／又は診療科情報を提供可能であることを特徴とする医療モール構築用情報提供システム。
【請求項２】
複数の医療機関が所定の不動産物件内に集結して構成される医療モールの構築に際して、複数の医療モール用不動産物件の物件情報を管理し、提供するための医療モール構築用情報提供システムであって、
複数の医療モール用不動産物件に関する情報に基づいて構築された物件情報データベースと、データ検索手段とを有し、
当該物件情報データベースが、医療モール用不動産物件に関する不動産情報、並びに、前記医療モール用不動産物件において参入可能な医療機関の診療科の種類に関する診療科情報を各医療モール毎に関連づけて形成されたものであり、
前記データ検索手段が、医療モール用不動産物件に関する条件及び／又は診療科に関する検索条件の一部又は全部に合致する医療モール用不動産物件を、前記物件情報データベースに登録されているものから検索して選定可能なものであり、
データ検索手段によって選定された医療モール用不動産物件に関する不動産情報及び／又は診療科情報を提供可能であることを特徴とする医療モール構築用情報提供システム。
【請求項３】
物件情報データベースが、医療モール用不動産物件の立地に関する情報を含んでいることを特徴とする請求項１又は２に記載の医療モール構築用情報提供システム。
【請求項４】
物件情報データベースが、医療モール用不動産物件についての図面及び／又は写真からなる情報を含んでいることを特徴とする請求項１〜３のいずれか一項に記載の医療モール構築用情報提供システム。
【請求項５】
物件情報データベースが、医療モールに集結する診療科の種類に関する情報を含むものであることを特徴とする請求項１〜４のいずれか一項に記載の医療モール構築用情報提供システム。
【請求項６】
物件情報データベースが、各医療モール用不動産物件についての診療圏に関する情報を含んでいることを特徴とする請求項１〜５のいずれか一項に記載の医療モール構築用情報提供システム。
【請求項７】
物件情報データベースを格納可能なデータ格納手段と、前記物件情報データベースに登録されている医療モール用不動産物件から所定の検索条件を満足するものを検索可能なデータ検索手段とを備えたサーバ装置を有し、
サーバ装置に対して通信網を介して接続されたクライアント端末側から所定の検索条件を設定してサーバ装置に設けられたデータ検索手段を作動させ、前記検索条件を満足する医療モール用不動産物件についての情報をクライアント端末側に提供可能であることを特徴とする請求項１〜６のいずれか一項に記載の医療モール構築用情報提供システム。
【請求項８】
物件情報データベースを格納可能なデータ格納手段を備えたサーバ装置と、
物件情報データベースをサーバ装置に設けられたデータ格納手段にアップロード可能なデータ管理装置とを有し、
クライアント端末が、前記サーバ装置に対して通信網を介して接続することにより、前記クライアント端末において物件情報データベースに登録されている医療モール用不動産物件から所定の検索条件を満足するものを検索可能なものであり、
前記検索条件を満足する医療モール用不動産物件についての情報をサーバ側からクライアント端末側に向けて提供可能であることを特徴とする請求項１〜６のいずれか一項に記載の医療モール構築用情報提供システム。
【請求項９】
データ管理装置が、閲覧用データ作成手段を有し、
当該閲覧用データ作成手段が、データ格納部に格納されている情報に基づいて医療モール用不動産物件に関する情報を物件毎に所定の形式に纏め、クライアント端末において閲覧可能な形態に変換した閲覧用データを作成可能なものであり、
クライアント端末に、検索条件を満足する医療モール用不動産物件についての閲覧用データを提供可能であること特徴とする請求項８に記載の医療モール構築用情報提供システム。
【請求項１０】
通信網を介してサーバ装置に対して接続してきたクライアント端末について、サーバ装置に対する接続権の有無を判定する接続権判定手段を備えており、
当該接続権判定手段により、接続権があると判定されたクライアント端末に限って医療モール用不動産物件の検索が許可されることを特徴とする請求項７〜９のいずれか一項に記載の医療モール構築用情報提供システム。
【請求項１１】
医療モールに集結する複数の医療機関が、それぞれ診療科の異なるものであることを特徴とする請求項１〜１０のいずれかに記載の医療モール構築用情報提供システム。
【請求項１２】
データ検索手段を備えており、
当該データ検索手段が、医療モール用不動産物件に関する検索条件の一部又は全部に合致する医療モール用不動産物件を、前記物件情報データベースに登録されているものから検索する不動産情報マッチング処理と、
物件情報データベースに登録されている医療モール用不動産物件について、医療モール用不動産物件への参入が既に決定している、あるいは、参入が予定されている医療機関の診療科と、検索条件として設定された診療科とが重複しない医療モール用不動産物件を検索する診療科マッチング処理とを実施可能であり、
不動産マッチング処理および診療科マッチング処理の双方により選定された医療モール用不動産物件を選定可能であることを特徴とする請求項１〜１１のいずれか一項に記載の医療モール構築用情報提供システム。
【請求項１３】
複数の医療機関が所定の不動産物件内に集結して構成される医療モールの構築に際して、複数の医療モール用不動産物件の物件情報を検索可能な医療モール構築用情報提供プログラムであって、
医療モール用不動産物件に関する条件及び／又は診療科に関する検索条件を設定することにより、複数の医療モール用不動産物件に関する不動産情報、並びに、前記医療モール用不動産物件において参入可能な医療機関の診療科の種類に関する診療科情報を各医療モール毎に関連づけて形成された物件情報データベースから前記検索条件の一部又は全部に合致する医療モール用不動産物件を検索して選定できることを特徴とする医療モール構築用情報提供プログラム。
【請求項１４】
医療モールに集結する複数の医療機関が、それぞれ診療科の異なるものであることを特徴とする請求項１３に記載の医療モール構築用情報提供プログラム。
【発明の詳細な説明】
【技術分野】
【０００１】
本発明は、医療モール用として提供される不動産物件情報等を提供するための医療モール構築用情報提供システム、並びに、当該医療モール構築用情報提供システムにおいて使用される医療モール構築用情報提供プログラムの提供を目的とする。
【背景技術】
【０００２】
下記特許文献１に開示されているように、近年、大病院にも勝るとも劣らない医療施設として、医療モールやメディカルモールと称される運営形態の医療施設が注目を浴びつつある。医療モールとは、専門の異なる複数の病院や医院、診療所が結集して構成された総合医療施設であり、所定のビルや区画内に別々の開業医が独立した病院や医院、診療所を設けている点に特徴を有する。
【０００３】
上記した医療モールと称される施設は、患者側および医師側の双方に利点を有する。すなわち、医療モールは、複数種の医院や診療所が一カ所に集中している。そのため、患者は、単一の医療モールにおいて複数種の診療科で診療を受けることができる。また、複数の専門医により患者を診療することができるため、医療モール内にある医院等同士が連携を取ることで大病院に匹敵するような診療を患者に施すことができる。さらに、医療モールを構築した場合、各医師同士で情報や施設を共有することができるといった利点もある。そこで、かかる動向に鑑み、近年、ビル等の施設に専門の異なる複数の医院や診療所を入居させることにより、多数の医療モールが構築されつつある。
【０００４】
また、医療モールは、複数種の診療科の医院や診療所からなり、いわゆる町医者の集合体のような特色を有する。そのため、医療モールは、一般的に総合病院と称されるような大規模な医療機関と同様に複数の診療科を備えたものであるにも関わらず、患者が各医院や診療所を運営している医師等に様々な事項を相談しやすいという特色がある。
【０００５】
ここで、上記した町医者のように単一の医院や診療所だけが存在しているような場合は、当該医院や診療所の医師等に患者が相談した内容が当該医師等の専門外である場合であっても、これを医師等が処理しなければならないことが多く、医師等にかかる負担が大きい。そのため、このような問題は、医師が、いわゆる町医者のように単独で独立して開業するのをためらう原因となりうる。しかし、上記した医療モールは、複数種の診療科を同一の不動産物件内に備えたものであるため、仮に患者等から相談された内容が相談を受けた医師等の専門外のものであったとしても、この相談内容に適合した診療科に患者を紹介しやすいという特色を有する。そのため、医療モールと称される形態の医療機関は、開業を考慮している医師等にとって魅力の高い運営形態であると共に、いわゆる医療の一極集中を解消するための手だての一つとして期待されている。
【０００６】
さらに具体的には、町医者のように単独で開業している医師が、自身の専門としない相談を受けた場合、当該相談を専門とする診療所等がが遠く離れた所にあると、患者への負担や利便性を考慮すると相談内容に合致した診療所を患者に紹介しにくいといったことが往々にしてある。そのため、単独で開業している医師の多くは、専門外の相談に対しても自身の能力の範囲内で対応していることが多い。従って、単独で開業している医師の多くは、専門外の相談についても患者にとって最も適切な処置であるか細心の注意を払う必要があり、大きな負担を感じているという問題がある。これらの問題は、開業を希望する医者が開業をためらう原因の一つとなっており、大病院に勤務する勤務医が増える一方で、地方に医師がほとんどいない、いわゆる医療の一極集中化や地域による医療格差の拡大といった問題の原因にもなっている。
【０００７】
一方、医療モールは、同一の不動産物件内に複数種の診療科を備えているため、上記したような懸念がなく、開業志望の医師の開業を促進することができるといったメリットがある。そこで、かかる知見に基づき、医療モールと称される運営形態の医療機関を広く普及させることが上記した医療の一極集中化や地域による医療格差の拡大を解消するための手だての一つとして有望視されている。
【０００８】
また、従来より下記特許文献２に開示されているように、インターネットに代表される通信網を介して所定の条件を満足する不動産物件を紹介することができる土地分譲支援システムが提供されている。
【特許文献１】特開２００３−２７７５９号公報
【特許文献２】特開２００６−２２１３０３号公報
【発明の開示】
【発明が解決しようとする課題】
【０００９】
上記したように、医療モールは、複数種の医院等を複数の区画に割り当てた構成とされていた。そのため、医療モールを新たに構築する場合や、既に存在する医療モールの空き区画に医院等を勧誘する場合は、各区画に割り当てられる医院等の診療科の種類や、その診療科において必要な施設が整っているか否か等の条件を医療モールへの参加を検討している医師に向けて提示する必要があった。
【００１０】
すなわち、一般的なビル等において事務所等の入居を勧誘する場合は、例えば上記した特許文献２に開示されている土地分譲支援システムのようなシステムを用い、立地条件や沿線情報といったような、一般的な不動産情報を提供したり、検索できる構成とするだけでよかった。しかし、医療モールを構築する上で必要な情報は、前記したような一般的な不動産情報だけでは不十分であり、同一の医療モールにどのような種類の診療科が存在するかといったような、医療モールを構築する上で独特の情報であった。また逆に、医療モールへの参加を検討している医師等から、診療科の種類等の条件に基づいて、入居可能な医療モールに関する情報を検索可能としたいといった要望もあった。
【００１１】
また、上記したように、医師の開業をより一層促進し、前記した医療格差問題を解消するためには、医療モールと称される運営形態の医療機関の普及が望まれている。そのため、医療モールを広く普及させるべく、各医師等の希望に添った医療モールに関する不動産物件をスムーズに提供可能なシステムの構築が渇望されている。
【００１２】
そこで、かかる知見に基づき、本発明は、医療モールを構築する上で必要な情報を医師等に提供可能な医療モール構築用情報提供システム、並びに、医療モール構築用情報提供プログラムの提供を目的とした。
【課題を解決するための手段】
【００１３】
上記した課題を解決すべく提供される請求項１に記載の発明は、複数の医療機関が所定の不動産物件内に集結して構成される医療モールの構築に際して、複数の医療モール用不動産物件の物件情報を管理し、提供するための医療モール構築用情報提供システムであって、複数の医療モール用不動産物件に関する情報に基づいて構築された物件情報データベースを有し、当該物件情報データベースが、医療モール用不動産物件に関する不動産情報、並びに、前記医療モール用不動産物件において参入可能な医療機関の診療科の種類に関する診療科情報を各医療モール毎に関連づけて形成されたものであり、医療モール用不動産物件に関する条件及び／又は診療科に関する検索条件を設定することにより、前記物件情報データベースに登録されている医療モール用不動産物件から、前記検索条件の一部又は全部に合致する医療モール用不動産物件を検索して選定し、当該選定された医療モール用不動産物件に関する不動産情報及び／又は診療科情報を提供可能であることを特徴とする医療モール構築用情報提供システムである。
【００１４】
本発明の医療モール構築用情報提供システムによれば、医師等が医療モールに参加すべく複数の医療モール用不動産物件から参加に適したものを選定する際に、医療モール用不動産物件に関する不動産情報や、参加可能な診療科についても検索条件として設定して検索し、当該検索結果に基づいて最適な医療モール用不動産物件を選定することができる。従って、本発明の医療モール構築用情報提供システムによれば、医療モールへの参加を希望している医師にとって有益な情報を提供することができる。また、本発明の医療モール構築用情報提供システムによれば、医療モール用不動産物件を所有している所有者側や、医療モールの運営母体側において希望する診療科の医師を自己の医療モールに参加させることができ、大病院等に勝るとも劣らないような医療モールを構築することができる。
【００１５】
請求項２に記載の発明は、複数の医療機関が所定の不動産物件内に集結して構成される医療モールの構築に際して、複数の医療モール用不動産物件の物件情報を管理し、提供するための医療モール構築用情報提供システムであって、複数の医療モール用不動産物件に関する情報に基づいて構築された物件情報データベースと、データ検索手段とを有し、当該物件情報データベースが、医療モール用不動産物件に関する不動産情報、並びに、前記医療モール用不動産物件において参入可能な医療機関の診療科の種類に関する診療科情報を各医療モール毎に関連づけて形成されたものであり、前記データ検索手段が、医療モール用不動産物件に関する条件及び／又は診療科に関する検索条件の一部又は全部に合致する医療モール用不動産物件を、前記物件情報データベースに登録されているものから検索して選定可能なものであり、データ検索手段によって選定された医療モール用不動産物件に関する不動産情報及び／又は診療科情報を提供可能であることを特徴とする医療モール構築用情報提供システムである。
【００１６】
本発明の医療モール構築用情報提供システムによれば、データ検索手段により、使用者により設定された検索条件の一部又は全部に合致する医療モール用不動産物件がないかを検索し、選定することができる。従って、本発明の医療モール構築用情報提供システムによれば、医療モールへの参加を希望している医師に対して有益な情報を提供することができる。また、本発明の医療モール構築用情報提供システムによれば、医療モール用不動産物件を所有している所有者側や、医療モールの運営母体側において希望する診療科の医師を自己の医療モールに参加させると共に、大病院等に勝るとも劣らないような医療モールを構築することができる。
【００１７】
請求項３に記載の発明は、物件情報データベースが、医療モール用不動産物件の立地に関する情報を含んでいることを特徴とする請求項１又は２に記載の医療モール構築用情報提供システムである。
【００１８】
本発明の医療モール構築用情報提供システムによれば、医療モール用不動産物件の立地に関する情報を医療モールへの参加を希望している医師等に提供することができる。
【００１９】
請求項４に記載の発明は、物件情報データベースが、医療モール用不動産物件についての図面及び／又は写真からなる情報を含んでいることを特徴とする請求項１〜３のいずれか一項に記載の医療モール構築用情報提供システムである。
【００２０】
本発明の医療モール構築用情報提供システムによれば、医療モールに参加する上での判断材料の一つとして医師等に医療モール用不動産物件に関する図面や写真を提供することができる。
【００２１】
請求項５に記載の発明は、物件情報データベースが、医療モールに集結する診療科の種類に関する情報を含むものであることを特徴とする請求項１〜４のいずれか一項に記載の医療モール構築用情報提供システムである。
【００２２】
本発明の医療モール構築用情報提供システムでは、医療モールに集結する診療科の種類が解るため、この情報を参加する医療モールの選定に役立てることができる。
【００２３】
請求項６に記載の発明は、物件情報データベースが、各医療モール用不動産物件についての診療圏に関する情報を含んでいることを特徴とする請求項１〜５のいずれか一項に記載の医療モール構築用情報提供システムである。
【００２４】
本発明の医療モール構築用情報提供システムによれば、各医療モールに関する診療圏に関する情報に基づいて医療モール用不動産条件を選定できるため、医療モールへの参入を検討している医師等が、どの程度の数の患者が見込まれるかを考慮に入れ、自己の希望に添った的確な医療モール用不動産物件を選定することができる。
【００２５】
請求項７に記載の発明は、物件情報データベースを格納可能なデータ格納手段と、前記物件情報データベースに登録されている医療モール用不動産物件から所定の検索条件を満足するものを検索可能なデータ検索手段とを備えたサーバ装置を有し、サーバ装置に対して通信網を介して接続されたクライアント端末側から所定の検索条件を設定してサーバ装置に設けられたデータ検索手段を作動させ、前記検索条件を満足する医療モール用不動産物件についての情報をクライアント端末側に提供可能であることを特徴とする請求項１〜６のいずれか一項に記載の医療モール構築用情報提供システムである。
【００２６】
本発明の医療モール構築用情報提供システムでは、サーバ装置を設け、これに対し通信網を介してクライアント端末側から接続することにより、サーバ装置側に設けられたデータ検索手段を作動させて所望の条件を満足する医療モール用不動産物件を検索すると共に、検索条件を満足する医療モール用不動産物件についての情報をクライアント端末側に提供可能である。従って、本発明の医療モール構築用情報提供システムによれば、サーバ装置と通信網を介して接続可能なクライアント用端末を有しておれば、当該クライアント用端末の使用者が希望する条件に合致する医療モール用不動産物件に関する情報をクライアント用端末において入手することができる。
【００２７】
請求項８に記載の発明は、物件情報データベースを格納可能なデータ格納手段を備えたサーバ装置と、物件情報データベースをサーバ装置に設けられたデータ格納手段にアップロード可能なデータ管理装置とを有し、クライアント端末が、前記サーバ装置に対して通信網を介して接続することにより、前記クライアント端末において物件情報データベースに登録されている医療モール用不動産物件から所定の検索条件を満足するものを検索可能なものであり、前記検索条件を満足する医療モール用不動産物件についての情報をサーバ側からクライアント端末側に向けて提供可能であることを特徴とする請求項１〜６のいずれか一項に記載の医療モール構築用情報提供システムである。
【００２８】
本発明の医療モール構築用情報提供システムは、サーバ装置とデータ管理装置とを有し、当該データ管理装置側から物件情報データベースをサーバ装置側に設けられたデータ格納手段にアップロードできる構成とされている。そして、サーバ装置に通信網を介して接続したクライアント端末側において、物件情報データベースに収録されている医療モール用不動産物件について検索を行い、所定の条件を満足する物件を選定し、この物件に関する情報をクライアント端末側で確認することができる。従って、本発明の医療モール構築用情報提供システムによれば、医師等のような医療モールへの参入を検討している者がサーバ装置と通信網を介して接続可能なクライアント用端末を有していれば、当該クライアント端末を用いて希望する条件に合致する医療モール用不動産物件に関する情報を容易かつ的確に入手することができる。
【００２９】
請求項９に記載の発明は、データ管理装置が、閲覧用データ作成手段を有し、当該閲覧用データ作成手段が、データ格納部に格納されている情報に基づいて医療モール用不動産物件に関する情報を物件毎に所定の形式に纏め、クライアント端末において閲覧可能な形態に変換した閲覧用データを作成可能なものであり、クライアント端末に、検索条件を満足する医療モール用不動産物件についての閲覧用データを提供可能であること特徴とする請求項８に記載の医療モール構築用情報提供システムである。
【００３０】
本発明の医療モール構築用情報提供システムは、閲覧用データ作成手段を有し、これにより各医療モール用不動産物件に関する情報を所定の形式に纏めると共に、この情報をサーバ装置に対して接続してきたクライアント端末において閲覧可能な形態に変換することができる。そのため、本発明の医療モール構築用情報提供システムによれば、データ格納部に格納されている医療モール用不動産物件に関する情報を、クライアント用端末側において活用しやすい形態に変換し、これを医師等からなるクライアント端末の使用者に提供することができる。
【００３１】
請求項１０に記載の発明は、通信網を介してサーバ装置に対して接続してきたクライアント端末について、サーバ装置に対する接続権の有無を判定する接続権判定手段を備えており、当該接続権判定手段により、接続権があると判定されたクライアント端末に限って医療モール用不動産物件の検索が許可されることを特徴とする請求項７〜９のいずれか一項に記載の医療モール構築用情報提供システムである。
【００３２】
本発明の医療モール構築用情報提供システムでは、医療モール用不動産物件を選定することができるクライアント用端末をサーバ装置への接続権を有するものに限定している。そのため、本発明の医療モール構築用情報提供システムによれば、医療モール用不動産物件に関する情報の提供側が予期しないユーザによって医療モール用不動産物件の選定等がなされるのを防止することができる。
【００３３】
請求項１１に記載の発明は、医療モールに集結する複数の医療機関が、それぞれ診療科の異なるものであることを特徴とする請求項１〜１０のいずれかに記載の医療モール構築用情報提供システムである。
【００３４】
本発明の医療モール構築用情報提供システムでは、各医療モールに集結する医療機関のそれぞれについて診療科が異なる。そのため、本発明の医療モール構築用情報提供システムによれば、複数の診療科から構成され、大病院にも勝るとも劣らない医療モールを構築することができる。
【００３５】
請求項１２に記載の発明は、データ検索手段を備えており、当該データ検索手段が、医療モール用不動産物件に関する検索条件の一部又は全部に合致する医療モール用不動産物件を、前記物件情報データベースに登録されているものから検索する不動産情報マッチング処理と、物件情報データベースに登録されている医療モール用不動産物件について、医療モール用不動産物件への参入が既に決定している、あるいは、参入が予定されている医療機関の診療科と、検索条件として設定された診療科とが重複しない医療モール用不動産物件を検索する診療科マッチング処理とを実施可能であり、不動産マッチング処理および診療科マッチング処理の双方により選定された医療モール用不動産物件を選定可能であることを特徴とする請求項１〜１１のいずれか一項に記載の医療モール構築用情報提供システムである。
【００３６】
本発明の医療モール構築用情報提供システムは、不動産情報マッチング処理により不動産物件に関する検索条件を満足するものを検索すると共に、診療科マッチング処理により、既に参入が決定していたり参入が予定されている医療機関がある医療モール用不動産物件（以下、約定医療機関とも称す）について、当該約定医療機関の診療科と検索条件として設定された診療科とが重複しているか否かを確認し、約定医療機関と診療科が重複しない医療モール用不動産物件を検索することができる。従って、本発明の医療モール構築用情報提供システムによれば、不動産に関する条件を満足しつつ、検索条件として設定した診療科が約定医療機関のものと重複しない医療モール用不動産物件を選定することができる。
【００３７】
請求項１３に記載の発明は、複数の医療機関が所定の不動産物件内に集結して構成される医療モールの構築に際して、複数の医療モール用不動産物件の物件情報を検索可能な医療モール構築用情報提供プログラムであって、医療モール用不動産物件に関する条件及び／又は診療科に関する検索条件を設定することにより、複数の医療モール用不動産物件に関する不動産情報、並びに、前記医療モール用不動産物件において参入可能な医療機関の診療科の種類に関する診療科情報を各医療モール毎に関連づけて形成された物件情報データベースから前記検索条件の一部又は全部に合致する医療モール用不動産物件を検索して選定できることを特徴とする医療モール構築用情報提供プログラムである。
【００３８】
本発明の医療モール構築用情報提供プログラムによれば、複数の医療モール用不動産物件についての不動産情報や、参入可能な診療科の種類に関する診療科情報を含む物件情報データベースを活用し、このデータベースに登録されている複数の医療モール用不動産物件から所定の条件を満足する医療モール用不動産物件を選定することができる。従って、本発明の医療モール構築用情報提供プログラムによれば、複数の医療モール用不動産物件について登録されたデータベースに基づき、医療モールへの参入を希望している医師等にとって有益な情報を提供することができる。
【００３９】
請求項１４に記載の発明は、医療モールに集結する複数の医療機関が、それぞれ診療科の異なるものであることを特徴とする請求項１３に記載の医療モール構築用情報提供プログラムである。
【００４０】
本発明の医療モール構築用情報提供プログラムによれば、複数の診療科から構成され、大病院にも勝るとも劣らない医療モールを構築することができる。
【発明の効果】
【００４１】
本発明によれば、医療モールを構築する上で必要な情報を医師等に提供可能な医療モール構築用情報提供システム、並びに、医療モール構築用情報提供プログラムを提供することができる。
【発明を実施するための最良の形態】
【００４２】
（第１実施形態）
続いて、本発明の第１実施形態にかかる医療モール構築用情報提供システム１（以下、単に情報提供システム１と称す）、並びに、医療モール構築用情報提供プログラム（以下、単に情報提供プログラムと称す）について、図面を参照しながら詳細に説明する。情報提供システム１は、複数の医療機関が所定の不動産物件内に集結して構成される医療モールを構築するために活用されるものである。情報提供システム１は、医療機関の参入を募集している医療モール用不動産物件についての物件情報を集積してデータベースを構築する機能と、当該データベースに基づいて医療モールへの参入を検討している医師等が任意の条件で物件情報を検索可能とする機能とを備えている。
【００４３】
図１に示すように、情報提供システム１は、サーバ１０を有する。そして、インターネット等の広域通信網（ＷＡＮ）や構内通信網（ＬＡＮ）等の通信網を介してサーバ１０に対して通信可能なように接続されたクライアント端末１００を用い、サーバ１０にインストールされている情報提供プログラムを利用できる構成とされている。クライアント端末１００としては、例えば従来公知のパーソナルコンピュータや、携帯電話、ＰＤＡ（Personal Digital Assistants）等のように、インターネット等の通信網を介してデータを送受信したり、データの入出力可能なものを採用することができる。
【００４４】
本実施形態の情報提供システム１において、サーバ１０は、いわゆるデータサーバとしての機能とアプリケーションサーバとしての機能とを兼ね備えたものである。サーバ１０の記憶領域には、本実施形態の情報提供プログラムがインストールされると共に、データ格納部２０（データ格納手段）が設けられている。サーバ１０は、通信インターフェイス４５を備えており、これを介してインターネット等の通信網に接続されている。
【００４５】
情報提供システム１では、データ格納部２０に物件情報データベース２１や物件画像データベース２２からなる物件データベース群と、路線マスタデータベース２３や設備マスタデータベース２５、種別マスタデータベース２６、管理者マスタデータベース２７、登録者マスタデータベース２８等からなるマスタデータベース群とが構築される。
【００４６】
物件情報データベース２１は、医療機関の参入を募集している医療モール用不動産物件に関する不動産情報を蓄積して構築したものである。物件情報データベース２１は、必要に応じてサーバ１０にインストールされている情報提供プログラムを用いて追加や削除、更新をすることができる。
【００４７】
さらに具体的には、物件情報データベース２１には、参入募集中の医療モール用不動産物件についての基礎的な不動産情報（物件基礎情報）や、診療科情報、診療圏情報等が各物件毎に関連づけて蓄積されている。ここで、前記した物件基礎情報としては、例えば医療モール用不動産物件の物件名や、当該物件の所在地、間取り、広さ、賃料、公益費、最寄りの交通機関、駐車場の有無、立地に関する情報等が相当する。また、前記した診療科情報は、各医療モール用不動産物件において参入が募集されている医療機関の診療科の種類に関する情報である。
【００４８】
上記した診療圏情報とは、いわゆる診療圏についての情報である。ここで、「診療圏」とは、医師や医療機関の参入を募集している医療モールに医師等が参加したと仮定した場合に、当該医師等が診療するであろうと見込まれる患者数や世帯数の指標を示したものであり、例えば公的データである国勢調査の結果や、厚生労働省実施の「患者調査」の結果に基づいて算出することができる。さらに詳細には、診療圏とは、医療モールや駅等の所定の地点を中心として所定の範囲内に存在する世帯数や人口、年齢構成等の人口や世帯に関するデータや、前記所定の範囲内において診療モールへの参入が募集されている診療科と同一の診療科にかかる医療機関の数等を考慮して所定の数式に基づいて導出されたデータや市場調査の結果等が反映されたものである。そのため、診療圏情報は、医療モールへの参入を希望している医師や医療機関の運営者が参入の可否を判断する上で有効なデータとなる。
【００４９】
上記した診療圏情報は、医療モールや駅等の所定の地点（以下、中心地点とも称す）を中心とする距離に応じて複数段階に設定することも可能である。すなわち、診療圏情報は、中心地点から半径Ｘ１の領域についての診療圏を一次診療圏、中心地点から半径Ｘ２（Ｘ１＜Ｘ２）の領域についての診療圏を二次診療圏とし、それぞれのデータを構築したものであってもよい。具体的には、例えば半径Ｘ１を０．５ｋｍ、半径Ｘ２を１ｋｍと設定すれば、一次診療圏についての診療圏情報に基づいて中心地点から徒歩１０分以内の範囲で見込まれる患者数を把握すると共に、二次診療圏についての診療圏情報に基づいて中心地点から徒歩で１５分〜２０分程度の範囲で見込まれる患者数を把握することができる。
【００５０】
また、医療モールの所在地によって中心地点や半径Ｘ１，Ｘ２を変更することとしてもよい。すなわち、東京近郊や京阪神といったような、いわゆる都市圏に相当する地域では、郊外に比べて交通網が発達しており、患者が電車や地下鉄、バスといったような交通網を利用して医療機関に赴く可能性が高い。そのため、いわゆる都市圏では、中心地点を交通機関の駅等に設定したり、半径Ｘ１，Ｘ２のいずれか一方又は双方を郊外のものよりも小さく設定することとしてもよい。一方、いわゆる郊外のように交通網がさほど発達していないような地域では、患者はマイカーやタクシー等を利用して医療機関に赴く可能性が高い。そのため、対象となる医療モールが郊外等にある場合は、半径Ｘ１，Ｘ２を都市圏のものよりもさらに大きく設定したり、半径Ｘ２よりも大きな半径Ｘ３を設定すると共にこのエリアを三次診療圏と規定し、これについての情報を蓄積した構成としてもよい。
【００５１】
また、診療圏情報は、医療モールが構築される地域における人の流れ、公共施設や商業施設等の集客力のある施設の有無、河川や道路事情、交通事情といったような地理的要因等を加味して設定することも可能である。すなわち、人の流れや施設の有無、地理的要因等を加味した係数を設定し、この係数を上記した国勢調査の結果や、患者調査の結果によって算出されたデータに掛け合わせることにより導出したデータを診療圏情報として蓄積し診療圏情報を構築してもよい。このようにして、地域特有の事情を加味して診療圏情報を構築すれば、医療モールへの参入を希望している医師や医療機関の運営者が参入の可否を判断する上でさらに有効なデータとなる。
【００５２】
物件画像データベース２２は、物件情報データベース２１に登録されている医療モール用不動産物件の図面や写真を蓄積して構成されたものである。物件画像データベース２２に蓄積されている図面データや写真データは、物件情報データベース２１に登録されている不動産物件が属する医療モール毎に対応づけられている。
【００５３】
路線マスタデータベース２３や、設備マスタデータベース２５、種別マスタデータベース２６、管理者マスタデータベース２７等は、上記した物件情報データベース２１を構築する上で基礎とされるデータベース（マスターデータベース）である。これらのマスターデータベースは、汎用性を有するものであり、物件情報データベース２１ほど頻繁に書き換えられる類のものではない。
【００５４】
路線マスタデータベース２３は、電車や地下鉄、バス等のような各種交通機関の路線情報からなるデータベースである。また、設備マスタデータベース２５は、例えば、エアコン、バス、トイレ等が完備されているか、エントランスにいわゆるオートロック機能があるか、駐車場や駐輪場を備えているかといったような、医療モール用不動産物件として具備している可能性がある各種の設備についてのマスタデータを蓄積して形成されたものである。
【００５５】
種別マスタデータベース２６は、例えば内科、外科、整形外科、耳鼻咽喉科、眼科、皮膚科、泌尿器科、産婦人科、精神科、歯科等のように診療科の種別について規定したデータベースである。管理者マスタデータベース２７は、医療モール用不動産物件の家主についての情報を蓄積して構築したデータベースである。
【００５６】
また、登録者マスタデータベース２８は、本実施形態の情報提供システム１についてユーザー登録した者に関するデータを集めたデータベースであり、ユーザー毎に登録情報が纏められ、登録されている。具体的には、登録者マスタデータベース２８は、ユーザーたる医師や医療機関、医療機関の管理者等の氏名や名称、当該ユーザー毎に割り当てられたユーザＩＤ、性別、年齢、住所、電話番号、メールアドレス、専門とする診療科目等の上方をユーザー毎に纏めてデータベース化したものである。
【００５７】
図１に示すように、情報提供システム１は、サーバ１０にインストールされている情報提供プログラムを作動させることにより、データベース構築手段３５としての機能や、データ検索手段４０としての機能、使用者認証手段４３（接続権判定手段）としての機能等を発揮する。
【００５８】
さらに具体的には、データベース構築手段３５としての機能を利用する場合、サーバ１０に対してインターネット等の通信網を介して接続されたクライアント端末１００やサーバ１０に対して通信網を介さず直接的に接続された端末（以下、必要に応じてデータ入力端末と総称する）によって情報提供プログラムを作動させると、図２に示すようなメニュー画面（以下、業務メニューインターフェイスとも称す）が表示される。そして、このメニュー画面に表示された各ボタンを選択（クリック）すると、当該ボタンに関連付け（リンク）された所定のインターフェイスが端末に表示される。本実施形態の情報提供システム１では、図２に示す業務メニューインターフェイスにおいて「物件登録画面」ボタンを選択すると、当該ボタンに対応して設けられた物件情報管理用のユーザインターフェイス（図３〜図５参照）がデータ入力端末に設けられたディスプレイに表示され、データを入力可能な状態となる。
【００５９】
また、メニュー画面に表示された「ドクター登録画面」ボタンを選択すると、当該ボタンに対応して設けられた図６に示すようなユーザー情報登録用のインターフェイス（以下、ドクター登録インターフェイスとも称す）が表示される。そして、当該ドクター登録インターフェイスが表示されると、ユーザーたる医師等に関する情報を登録可能な状態になる。
【００６０】
物件情報管理用のユーザインターフェイスとしては、いわゆるＣＵＩ（Character-based User Interface）のように情報の表示を文字によって行ない、すべての操作をキーボードを用いて行なうものを採用してもよいが、本実施形態では、図３〜図５に示すような、いわゆるＧＵＩ（Graphical User Interface）が採用されている。
【００６１】
物件情報管理用のユーザインターフェイスは、図３〜図５に示すように複数のタブを有し、タブ毎に入力可能なデータ種別が割り当てられている。さらに具体的には、図３〜図５に示す例では、図中一番左側に設けられた「基本情報」と記されたタブを選択すると、医療機関の参入を募集している医療モール用不動産物件の物件名や、当該物件の所在地、間取り、広さ最寄りの交通機関、駐車場の有無、立地に関する情報等のような医療モール用不動産物件についての基礎的な情報や、当該物件において募集されている診療科目の種類や、既に当該物件への参入が決まっている医療機関にかかる診療科目（既決科目）といったような、医療モールとしての基本的な情報を入力するための項目が表示される。そして、各項目に割り当てられたテキストボックスに項目に対応したテキスト情報を入力したり、ラジオボタンやチェックボックス、リストボックス、コンボボックス等を用いて情報を入力することができる。ここで入力されたデータにより、物件情報データベース２１が構築される。また、ここで入力された物件名等の情報に基づいて、管理者マスタデータベース２７が構築される。
【００６２】
同様に、物件情報管理用インターフェイスを開いた状態において、「賃貸条件」と記されたタブを選択すると、図４に示すような画面表示が端末画面になされる。そして、この状態において、医療モール用不動産物件の賃料や、共益費、補償金・敷金、敷引、礼金の有無やその金額、駐車場の料金、その他の費用等の情報や、当該医療モール用不動産物件が備える物件設備（電気、ガス、バス、トイレ、インターホン、ベランダ、オートロック、エレベータ、ケーブルテレビの受信設備、ＢＳアンテナ等）の有無等の情報について入力することができる。
【００６３】
また、情報提供システム１は、データ入力端末をサーバ１０に接続した状態において、医療モール用不動産物件に関する図面データや写真データをデータ格納部２０に蓄積し、物件画像データベース２２を構築することができる。そして、物件情報管理用インターフェイスを開いた状態において、「画像登録」と記されたタブを選択すると、図５に示すように各医療モール用不動産物件についての写真データを登録することができる。すなわち、「基本情報」タブや「賃貸条件」タブで入力された各医療モール用不動産物件についての基礎的情報や管理者データベースに蓄積されている情報と、「画像登録」タブで登録された図面データや写真データとがリンク付けられた状態になる。
【００６４】
情報提供システム１は、上記したようにしてデータを入力すると、データ格納部２０に物件情報データベース２１や物件画像データベース２２が構築される。また、情報提供システム１は、図２に示す業務メニューインターフェイスにおいて、「ドクター登録画面」と記されたボタンを選択（クリック）すると、図６に示すようなインターフェイス（以下、ドクター登録インターフェイスとも称す）が表示され、情報提供システム１のユーザー登録をしている医師等の情報を入力可能な状態になる。
【００６５】
さらに具体的に説明すると、図６に示すドクター登録インターフェイスが表示されると、情報提供システム１についてユーザー登録されるユーザーたる医師等に対して個別に付与されるユーザーＩＤや、医師の氏名、性別、年齢、住所、電話番号、メールアドレス、専門科目、その他の情報を入力可能な状態になる。情報提供システム１は、ドクター登録インターフェイスを介して入力されたデータに基づき、各ユーザー毎に前記データを分類して記録した登録者マスタデータベース２８を構築する。
【００６６】
本実施形態の情報提供システム１が備える情報提供プログラムは、物件情報データベース２１や物件画像データベース２２に登録されたデータに基づき、サーバ１０にインターネット等の通信網を介して接続されたクライアント端末１００や、サーバ１０に直接的に接続された端末（以下、必要に応じてデータ検索端末と総称する）側において、サーバ１０に登録されている複数の医療モール用不動産物件から所定の条件を満足するものを検索することができる。
【００６７】
さらに具体的に説明すると、医療モールへの参入を希望しているユーザーが、自己の希望に添った医療モールがないか検索したい場合、すなわち情報提供システム１をデータ検索手段４０としての機能させたい場合は、先ず、ユーザー側にあるクライアント端末１００をインターネット等の通信網を介して図７に示す情報提供システム１の管理者が運営するホームページ等にアクセスさせる。そして、サーバ１０にインストールされている情報提供プログラムに対してリンクづけられたボタン（図７に示す例では「物件検索」と記されたボタン）を選択すると、図９に示すような地域選択インターフェイスが表示される。
【００６８】
地域選択インターフェイスにおいてユーザーが医療モールへの参加をしたいと考えている地域（地方）を指定（選択）すると、データ検索端末のディスプレイに、図１０に示すような物件情報検索用のユーザインターフェイス（以下、必要に応じて検索インターフェイスと称す）が表示される。
【００６９】
検索インターフェイスには、検索条件を入力するための項目が一又は複数設けられており、各項目に対応したテキストボックスやラジオボタン、チェックボックス、リストボックス、コンボボックス等が設けられている。また、これらに加えて、前記したテキストボックス等に入力された検索条件での医療モール用不動産物件の検索を開始するためのボタン（以下、検索ボタンと称す）等が設けられている。図１０に示す例では、検索条件として図９で選択された地方に含まれる都道府県名や沿線名、最寄り駅あるいは最寄りのバス停からの所要時間、賃料、専有面積、その他付随施設（オプション）等の項目が設けられると共に、それぞれの項目に対応するテキストボックス等が設けられており、当該テキストボックス等に検索条件を適宜入力可能な構成とされている。また、前記テキストボックス等とは別に検索ボタンが設けられている。
【００７０】
上記したようにして検索インターフェイスにおいて一又は複数の検索条件を設定した後、検索ボタンを選択（クリック）すると、情報提供プログラムがデータ検索手段４０として機能する。これにより、データ格納部２０に登録されている物件情報データベース２１から、上記検索条件を満足する医療モール用不動産物件が検索される。そして、検索が完了すると、前記した検索条件の一部又は全部に合致する医療モール用不動産物件に関する情報を図１１に示すような形式でリストアップしたインターフェイス（以下、必要に応じてリスト表示インターフェイスと称す）がデータ検索端末のディスプレイに表示される。
【００７１】
また、本実施形態の情報提供システム１では、上記したリスト表示インターフェイスのように、検索の結果リストアップされた各医療モール用不動産物件について一覧表の形式で示すインターフェイスに加えて、図１２や図１３、図１４に示すように各物件毎に当該物件についての詳細情報を示すインターフェイス（以下、必要に応じて台帳インターフェイスと称す）で示すことができる。
【００７２】
上記したように、本実施形態の情報提供システム１で採用されている医療モール情報提供プログラムは、通信網を介して接続してきたクライアント端末１００がサーバ１０に対する接続権を有しているか否かを判定する使用者認証手段４３としての機能も発揮することができる。さらに具体的には、使用者認証手段４３は、例えば外部ネットワークＷを介してサーバ１０に接続してきたクライアント端末１００のＩＰアドレス（Internet Protocol Address）や、ＩＤ（Identifier）、クライアント端末１００から入力されたパスワード等を用いてクライアント端末１００自体あるいはクライアント端末１００のユーザーに関するデータ（認証データ）を収集し、これが所定の条件を満足する場合にクライアント端末１００の接続を許容するものとすることができる。
【００７３】
本実施形態の情報提供システム１では、クライアント端末１００がサーバ１０に接続されると、クライアント端末１００側のディスプレイ等に図８に示すような認証データ入力用のインターフェイス（以下、必要に応じて認証インターフェイスと称す）が表示される。認証インターフェイスは、ＩＤやパスワードを入力可能なテキストボックスを有し、これに医療モール構築用情報提供システム１の運営者等から付与されたＩＤやパスワードを入力することによりクライアント端末１００において上記した医療モール情報提供プログラムの検索機能等のような運営者側から許容された機能を使用可能となる。
【００７４】
さらに具体的には、情報提供システム１では、図７に示すような管理者が運営するホームページにおいて「物件検索」ボタンが選択された際に、クライアント端末１００側のディスプレイ等に図８に示す認証インターフェイスが表示される。そして、既に情報提供システム１の使用者（ユーザー）として登録されている場合は、認証インターフェイスで情報提供システム１の運営者側から各ユーザーに個別に付与されたＩＤやパスワードを入力することによりクライアント端末１００において上記した医療モール情報提供プログラムの検索機能等のような運営者側から許容された機能を使用可能な状態、すなわち情報提供システム１にログインした状態となる。
【００７５】
一方、情報提供システム１の運営者側にユーザー登録していないユーザーが当該情報提供システム１の使用を希望する場合は、別途用意されたユーザー登録用のシステムを用いる等して運営者側からユーザーＩＤやパスワードが付与されることを条件として、当該ユーザーＩＤやパスワードを用いて情報提供システム１を使用可能な状態、すなわち情報提供システム１に対してログインした状態とすることができる。
【００７６】
続いて、本実施形態の情報提供システム１をクライアント端末１００側から操作した際の動作について、図１５および図１６に示すフローチャートを参照しながら詳細に説明する。情報提供システム１を利用すべくクライアント端末１００側からサーバ１０へのアクセスがあると、サーバ１０にインストールされている情報提供プログラムが作動し、使用者認証手段４３として機能する。
【００７７】
すなわち、クライアント端末１００側からサーバ１０へのアクセスがあると、図１５に示すフローチャートのステップ１−１において、クライアント端末１００のディスプレイ等に図８に示すような認証インターフェイスが表示される。本実施形態では、上記した図７に示す情報提供システム１の運営者が運営しているホームページにおいて「物件検索」ボタンがクリックされると、図８に示すような認証インターフェイスが表示される。
【００７８】
ここで、認証インターフェイスに設けられたテキストボックスにＩＤやパスワードが入力されると、当該ＩＤやパスワードが情報提供システム１の運営者から当該システム１の使用（ログイン）を許可された者に付与されたものであるか否かが確認される。ここで、認証インターフェイスにおいて入力されたＩＤやパスワードが正規のものである場合は、情報提供システム１へのログインが許可され、制御フローがステップ１−２に移行する。
【００７９】
制御フローがステップ１−２に移行すると、サーバ１０にインストールされている情報提供プログラムが医療モール用不動産物件の検索機能を発揮可能な状態になる。さらに具体的には、本実施形態では、制御フローがステップ１−２に移行すると、クライアント端末１００のディスプレイに図９に示すような地域選択インターフェイスが表示される。ここで、ユーザーが希望する地域（地方）を指定すると、図１０に示すような検索インターフェイスが表示される。これにより、検索インターフェイスに設けられたテキストボックス等に医療モール用不動産物件の検索条件を任意に入力可能な状態になる。テキストボックス等に検索条件が入力された後、検索インターフェイスに設けられた検索ボタンが選択、すなわちクリックされると、制御フローがステップ１−３に移行し、前記検索条件の一部又は全部に合致する医療モール用不動産物件を検索し、リストアップする処理（以下、必要に応じてマッチング処理と称す）が行われる。
【００８０】
さらに詳細に説明すると、ステップ１−３で実施されるマッチング処理は、図１６に示すステップ２−１〜２−８に至るフローチャートに則って実施されるものである。図１６に示すマッチング処理は、不動産情報に関する検索条件で医療モール用不動産物件を絞り込む不動産情報マッチング処理（ステップ２−１）と、医療モール用不動産物件への参入が既に決定している他の医師や医療機関等の診療科目が検索条件として設定された診療科目と重複しないものを選定する診療科マッチング処理（ステップ２−２〜ステップ２−８）とに大別される。
【００８１】
さらに具体的に説明すると、制御フローがステップ１−３に移行すると、情報提供プログラムは、ステップ２−１に示すようにデータ格納部２０に構築されている各データベースを参照し、検索条件に合致する医療モール用不動産物件の有無を確認する。本実施形態では、図１０に示す検索インターフェイスで設定された検索条件や、情報提供システム１へのログイン時に図８に示す認証インターフェイスで入力されたユーザーＩＤや登録者マスタデータベース２８に基づいて特定されたユーザーたる医師等が専門とする診療科目等の条件に基づき、当該検索条件に合致する医療モール用不動産物件がないか検索される。
【００８２】
上記したようにして医療モール用不動産物件の検索が完了すると、制御フローがステップ２−２に移行し、検索条件に該当する医療モール用不動産物件があったか否かが確認される。
【００８３】
ステップ２−２において該当物件がなかったことが確認されると、制御フローがステップ２−８に移行し、該当物件がなかった旨の表示がクライアント端末１００のディスプレイ等に表示される。一方、ステップ２−２において該当物件があることが確認された場合は、制御フローがステップ２−３に移行し、ステップ２−２で選定された各物件毎に約定状況が確認される。すなわち、検索の結果、検索条件に該当するものとしてピックアップされた物件への入居が既に確定していたり、入居の予定がある医師や医療機関があるか否かが確認される。
【００８４】
ステップ２−２でピックアップした医療モール用不動産物件について約定者がない場合は、当該物件についてはこのまま情報を提供することに支障がない。そのため、ステップ２−３について、約定者がないと判断された場合は、制御フローがステップ２−４に移行し、当該物件が検索を行っている者に対して紹介可能な医療モール用不動産物件としてリストアップされる。その後、制御フローは、ステップ２−５に移行する。
【００８５】
一方、ステップ２−２でピックアップした医療モール用不動産物件について約定者がある場合は、制御フローがステップ２−７に移行し、医療モール用不動産物件を検索している医師や医療機関が専門とする診療科が当該約定者が専門とするものと重複するか否かが確認される。
【００８６】
ここで、診療科が重複する場合は、単一の医療モール内に同一の診療科にかかる医療機関が存在することになる可能性がある。そのため、複数種の診療科を備えた医療モールを構築しようとする場合、同一の診療科を専門とする医師や医療機関の入居が約定済みあるいは約定予定であるにもかかわらず当該医療モールを紹介することは、医療モール用不動産物件のオーナーだけでなく、これに参入しようとしている医師や医療機関にとっても不都合となる可能性が高い。すなわち、通常、医療モールは、診療科の異なる医療機関を多数設けることにより、単一の施設において総合的な医療を施すことができることを特色とするものであり、同一の診療科にかかる医師や医院等が重複して単一の医療モール内に入居することになると、医療モールとして期待される機能を発揮できない可能性がある。
【００８７】
そこで、本実施形態の情報提供システム１では、ステップ２−７において約定者と、医療モール用不動産物件の検索を行っている医師等が専門とする診療科とが重複するか否かが確認される。そして、診療科が重複するものと確認された場合は、当該医療モール用不動産については紹介可能な医療モール用不動産物件としてリストアップされず、制御フローがステップ２−５に移行する。
【００８８】
一方、ステップ２−７において約定している医師や医療機関が専門とする診療科と、検索条件として設定された診療科とが重複しない場合は、制御フローがステップ２−４に移行して当該医療モール用不動産物件が紹介可能なものとしてリストアップされ、その後ステップ２−５に移行する。
【００８９】
上記したようにして制御フローがステップ２−５に移行すると、ステップ２−２で得られた検索結果に該当する不動産物件のうち、未だ上記したステップ２−３以降の制御フローにより約定者の有無が確認されていない物件（次物件）がないか否かが確認される。ステップ２−５で次物件ありと判断された場合は、制御フローがステップ２−３に戻り、未だ約定者の有無について判定がなされていない物件について順次判定される。
【００９０】
一方、ステップ２−５で次物件がない場合は、制御フローがステップ２−６に移行する。そして、クライアント端末１００のディスプレイ等に図１１に示すようなリスト表示インターフェイスが表示され、これを用いて上記ステップ２−５でリストアップされた医療モール用不動産物件がリスト形式で表示される。
【００９１】
また、ステップ２−５でクライアント端末１００のディスプレイ等にリスト表示インターフェイスが表示された状態になると、リスト表示されている医療モール用不動産物件の物件名や、当該物件に対応して設けられているボタン等をクライアント端末１００の使用者が選択（クリック）すると、当該物件に関する詳細な情報がディスプレイ等に表示可能な状態になる。これにより、図１６に示す一連の制御フローが完了する。
【００９２】
図１６に示す一連の制御フローにより図１５のステップ１−３に示すマッチング処理が完了すると、制御フローがステップ１−４に移行し、医療モール用不動産物件の検索を終了するか否かが確認される。さらに具体的には、例えば図１１に示すリスト表示インターフェイスや、図１２等に示す台帳インターフェイスに再度検索を行う場合に選択するボタン（以下、必要に応じて再検索ボタンと称す）や、検索を終了して情報提供システム１からログアウトするためのボタン（以下、必要に応じてログアウトボタンと称す）を設けた構成とした場合、ステップ１−４において、再検索ボタンやログアウトボタンが選択（クリック）されたか否かが確認される。
【００９３】
ステップ１−４において医療モール用不動産物件の検索を継続する旨の意思表示がなされた場合、すなわち上記した例において再検索ボタンがクリックされた場合は、制御フローがステップ１−１に戻る。そして、上記したのと同様の制御フローに従い、医療モール用不動産物件の検索が再度実行される。一方、ステップ１−４において医療モール用不動産物件の検索を終了する旨の意思表示がなされた場合、すなわち上記した例においてログアウトボタンがクリックされた場合は、ステップ１−５においてクライアント端末１００がサーバ１０からログアウトした状態になり、図１５に示す一連の制御フローが完了する。
【００９４】
上記したように、本実施形態の情報提供システム１は、サーバ１０にインストールされている情報提供プログラムを作動させることにより、サーバ１０のデータ格納部２０に登録されている複数の医療モール用不動産物件から任意の条件を満足するものを検索することができる。そのため、本実施形態の情報提供システム１によれば、医療モールへの参加を希望している医師にとって有益な情報を提供することができる。また、本実施形態の情報提供システム１によれば、医療モール用として利用可能な不動産物件を所有している所有者側や、医療モールの運営母体側において希望する診療科の医師や医療機関を自己の医療モールに参加させ、大病院に勝るとも劣らないような医療モールを構築することができる。
【００９５】
上記したように、本実施形態の情報提供システム１によれば、各医師等の希望に添った医療モールに関する不動産物件についての情報をスムーズに提供することができ、医師の開業をより一層促進することができる。すなわち、情報提供システム１を活用することにより医療モールが構築されれば、医院や診療所の集合体が形成されることとなり、いわゆる町医者のように自身の専門外である患者の相談を聞き入れたり、当該相談に応じるために自身の専門外の医療行為を行うことにより医師に負担がかかるのを抑制できる。そのため、情報提供システム１によれば、医師の独立開業を促進すると共に、医療モールと称される運営形態の医療機関の普及を促進することができ、いわゆる医療の一極集中化や地域による医療格差の拡大といった問題の解消に十分寄与しうる。
【００９６】
本実施形態の情報提供システム１によれば、医療モール用不動産物件の立地に関する情報や、医療モール用不動産物件についての図面や写真を、医療モールへの参加を検討している医師や医療機関の運営者に提供することができる。また、情報提供システム１では、検索の結果選定された医療モールにどのような種類の診療科が集結するのかといったような情報を提供することができる。さらに、情報提供システム１によれば、物件情報データベース２１に蓄積されているデータに基づき、検索の結果選定された医療モールについての診療圏に関するデータを供給することも可能である。従って、本実施形態の情報提供システム１によれば、検索によりリストアップされた各医療モールについて診療圏に関する情報まで入手し、これを医師や医療機関の運営者が医療モールに参入する上での判断材料として有効利用することができる。
【００９７】
上記したように、本実施形態の情報提供システム１によれば、様々な検索条件で医療モール用不動産物件を検索することができると共に、検索の結果選定された医療モール用不動産物件について、医療モールに参加する上で必要とされる様々な情報を提供することができる。そのため、本実施形態の情報提供システム１によれば、医療モールへの参加を検討している医師や医療機関の運営者の希望する条件を満足する医療モール用不動産物件を選定し、この情報を提供することができる。
【００９８】
本実施形態の情報提供システム１では、サーバ１０に対して通信網を介して接続したクライアント端末１００側からサーバ１０にインストールされている情報提供プログラムを動作させ、医療モール用不動産物件を検索したり、医療モール用不動産物件に関する情報をデータ格納部２０に登録することができる。そのため、情報提供システム１によれば、当該システムの管理者側にサーバ１０を設け、これにインターネット等の通信網を介してクライアント端末１００がアクセス可能な状態としておけば、医師や医療機関の運営者等側に設けられたクライアント端末１００から希望する条件に合致する医療モール用不動産物件に関する情報を検索して入手することができる。
【００９９】
上記したように、本実施形態の情報提供システム１では、図１６に示すマッチング処理において物件検索（ステップ２−１）で検索条件に合致する物件があっても（ステップ２−２でＹＥＳの場合）、この物件に約定者があり（ステップ２−３でＹＥＳの場合）、当該約定者の診療科と検索条件として設定した診療科とが重複している場合（ステップ２−７でＹＥＳの場合）に、単一の医療モール用不動産物件内に同一の診療科にかかる医療機関が重複して参入するのを防止することを目的として当該物件をリストアップしない構成としていたが、本発明はこれに限定されるものではない。すなわち、物件検索で検出された医療モール用不動産物件に既に約定者がおり、当該約定者の診療科が検索条件として設定された診療科と重複する場合であっても、これを図１６のステップ２−４において行うのと同様にしてリストアップする構成としてもよい。この場合、例えば約定者と診療科の重複がない医療モール用不動産物件と、約定者と診療科の重複する医療モール用不動産物件とでリストアップする際の表示形態を変更することとするのが好ましい。具体的には、約定者と診療科が重複しないものを青文字、重複するものを赤文字で表示する等することが好ましい。
【０１００】
（第２実施形態）
続いて、本発明の第２実施形態にかかる情報提供システム５０について、図面を参照しながら詳細に説明する。なお、本実施形態の情報提供システム５０は、上記第１実施形態の情報提供システム１と共通する部分を有するため、共通する部分については同一の符号を付し、詳細の説明については省略する。
【０１０１】
図１７に示すように、情報提供システム５０は、サーバ６０を有し、これに対して管理者用端末７０（データ管理装置）がデータ通信可能なように接続された構成とされている。また、情報提供システム５０は、サーバ６０に対してインターネット等の通信網を介してクライアント端末１００を接続可能な構成とされている。
【０１０２】
本実施形態で採用されているサーバ６０は、いわゆるデータサーバに相当するものである。サーバ６０は、上記したサーバ１０と同様に記憶領域を有し、これにデータ格納部２０が設けられている。データ格納部２０は、上記第１実施形態で示したものと同様に各種のデータベースが格納される部分である。また、サーバ６０の記憶領域には、後に詳述する管理者用端末７０側において作成された台帳データ（閲覧用データ）を記憶することができる。
【０１０３】
管理者用端末７０は、従来公知のパーソナルコンピュータ等によって構成されている。管理者用端末７０は、例えば従来公知のハードディスク等によって構成される記憶媒体と、データベース構築手段３５とを有し、当該記憶媒体にサーバ６０のデータ格納部２０に格納すべきデータベース等を記憶可能とされている。
【０１０４】
データベース構築手段３５には、上記第１実施形態で示したものとほぼ同様のものが採用されている。すなわち、本実施形態では、管理者用端末７０に上記第１実施形態においてサーバ１０にインストールされていた情報提供プログラムに相当するものがインストールされている。そして、情報提供プログラムを起動することにより、管理者用端末７０をデータベース構築手段３５として使用することができる。すなわち、情報提供プログラムを起動すると、管理者用端末７０が備えるディスプレイ等に図３〜図５に示すような物件情報管理用のユーザーインターフェイスが表示される。この状態において、当該インターフェイスに設けられたテキストボックス等に各物件について必要な情報を入力することにより、この情報が管理者用端末７０の記憶領域に設けられたデータ格納部７１（データ格納手段）に蓄積され、各データベースが構築される。
【０１０５】
管理者用端末７０は、データベース構築手段３５によってデータ格納部７１に構築された各データベースをサーバ６０側に設けられたデータ格納部２０に転送（アップロード）することができる。また、管理者用端末７０からデータ格納部にデータベースがアップロードされると、この履歴（ログ）等の情報を集めたＨＴＭＬ生成データベース７３がデータ格納部７１に構築される。
【０１０６】
また、管理者用端末７０には、台帳データ作成手段７２（閲覧用データ作成手段）が設けられている。台帳データ作成手段７２は、記憶媒体に記憶されているデータベース情報に基づき、各医療モール用不動産物件についての情報を物件毎に編集したデータを作成するものである。本実施形態では、台帳データ作成手段７２として機能するプログラムが、管理者用端末７０の記憶媒体等にインストールされている。そして、このプログラムにより各医療モール用不動産物件についての情報を各物件毎に編集し、Ｗｅｂブラウザで閲覧可能な形式のデータ（以下、必要に応じて台帳データと称す）や、紙媒体等に印刷して出力するのに適した形式に変換できる構成とされている。
【０１０７】
管理者用端末７０は、サーバ６０と通信可能なように接続された状態において、ハードディスク等によって構成される記憶媒体に記憶されている各種データベースや、台帳データ作成手段７２で作成された台帳データをサーバ６０側にアップロードし、サーバ６０のデータ格納部２０にデータベースの構築や更新をしたり、台帳データの記録や更新をすることができる。
【０１０８】
本実施形態の情報提供システム５０では、従来公知のパーソナルコンピュータやＰＤＡ（Personal Digital Assistants）、携帯電話等のようにインターネットに代表される通信網に接続可能な端末に医療モール用不動産物件の検索用のプログラムを備えたアプリケーションソフト（以下、クライアント用アプリケーションと称す）をインストールしたものをクライアント端末１００として利用することができる。すなわち、上記第１実施形態で示した医療モール構築用情報提供システム１では、サーバ１０にインストールされている情報提供プログラムが医療モール用不動産物件を検索するための検索機能を発揮するものであったが、これに代わって、本実施形態ではクライアント端末１００側にインストールされているクライアント用アプリケーションに検索機能が付与されている。
【０１０９】
本実施形態では、クライアント端末１００においてクライアント用アプリケーションを起動すると、図９に示すような地域選択インターフェイスが表示される。そして、地域選択インターフェイスにおいてユーザーが医療モールへの参加をしたいと考えている地域（地方）を指定（選択）すると、クライアント端末１００のディスプレイに、図１０に示すような物件情報検索用のユーザインターフェイス（検索条件入力インターフェイス）が表示され、医療モール用不動産物件の検索条件を入力可能な状態になる。また、クライアント端末１００をインターネット等の通信網を介してサーバ６０に接続した状態においてクライアント用アプリケーションを作動させ、検索条件入力インターフェイスに検索条件を入力することにより、当該検索条件の全部又は一部を満足する医療用不動産物件の有無をサーバ６０のデータ格納部２０に蓄積されている各種データベースから検索できる機能（検索機能）を有する。
【０１１０】
クライアント用アプリケーションの検索機能を用いて医療モール用不動産物件を検索すると、例えば図１１に示すような形式でリストアップしたインターフェイス（以下、必要に応じてリスト表示インターフェイスと称す）がクライアント端末１００のディスプレイに表示される。
【０１１１】
クライアント用アプリケーションは、上記したリスト表示インターフェイスに表示された各医療モール用不動産物件に対応する台帳データを選択し、これをクライアント用端末１００のディスプレイ等に表示する機能を有する。さらに具体的には、本実施形態では、クライアント用アプリケーションを作動させて検索を行い、検索結果出力インターフェイスに表示された医療モール用不動産物件の物件名や、医療モール用不動産物件に対応して設けられたボタン等をマウス等のポインティングデバイスを用いて選択すると、選択された医療モール用不動産物件に対応する台帳データがサーバ６０側からクライアント端末１００側に送信され、クライアント端末１００において参照可能となる。
【０１１２】
本実施形態では、台帳データがＨＴＭＬ（HyperText Markup Language）形式等の形式で作成されたＷｅｂデータとされている。そのため、クライアント端末１００側に送信されてきた台帳データをＷｅｂブラウザで参照することができる。さらに詳細には、本実施形態では、台帳データを例えば図１２等に示すような表示形式でクライアント端末１００側に表示させることができる。また、本実施形態では、ＨＴＭＬ形式で表示された台帳データをそのまま印刷（出力）したり、印刷用のフォーマットに変換した状態で印刷（出力）することができる。
【０１１３】
本実施形態の情報提供システム５０は、上記第１実施形態の情報提供システム１とほぼ同様にして医師や医療機関の参入を希望している医療モール用不動産物件に関する情報をサーバ６０に登録（アップロード）したり、クライアント端末１００側から所定の検索条件を満足する医療モール用不動産物件を検索することができる。すなわち、情報提供システム５０は、サーバ６０に接続されている管理者用端末７０にインストールされている情報提供プログラムを起動して図３〜図５に示すような物件情報管理用のインターフェイスを表示させ、これを用いて医療モール用不動産物件についての情報を入力することにより、管理者用端末７０に設けられたデータ格納部７１に各種データベースを構築することができる。
【０１１４】
本実施形態では、データ格納部７１に物件情報データベース２１や物件画像データベース２２、路線マスタデータベース２３、設備マスタデータベース２５、種別マスタデータベース２６、管理者マスタデータベース２７、登録者マスタデータベース２８が構築される。そして、データ格納部７１に構築された各データベースを、データ格納部７１からサーバ６０に設けられたデータ格納部２０にアップロードすることができる。
【０１１５】
また、情報提供システム５０では、管理者用端末７０のデータ格納部７１に構築されている各種データベースに基づき、各医療モール用不動産物件毎に当該物件に関する情報をとりまとめてＨＴＭＬ形式のデータとした台帳データをサーバ６０側にアップロードできる。
【０１１６】
情報提供システム５０は、インターネット等の通信網を介してクライアント端末１００をサーバ６０にアクセスさせることにより、サーバ６０のデータ格納部２０にアップロードされている各医療モール用不動産物件に関するデータベースから任意の検索条件を満足する物件を検索し、ピックアップすることができる。また、サーバ６０の記憶領域にアップロードされている台帳データをクライアント端末１００側で参照したり、出力（印刷）等することができる。
【０１１７】
すなわち、情報提供システム５０では、上記した図１５や図１６に示す制御フローに従って任意の条件で医療モール用不動産物件を検索することができる。さらに詳細に説明すると、クライアント端末１００がサーバ６０に対して通信可能なように接続された状態において、クライアント端末１００側にインストールされているクライアント用アプリケーションを起動すると、図８に示すような認証インターフェイスが表示される。ここで、ＩＤやパスワードが入力されると、これらのデータがサーバ６０側に送信され、サーバ６０に設けられた使用者認証手段４３によってチェックされる。この結果、先に入力されたＩＤやパスワードが情報提供システム５０の管理者から付与された正規のものである場合は、情報提供システム５０へのログインが許可される（ステップ１−１に相当）。
【０１１８】
情報提供システム５０へのログインが完了すると、クライアント端末１００のディスプレイ等に図９に示すような地域選択インターフェイスが表示され、ここで希望する地域（地方）を選択すると、図１０に示すような検索インターフェイスが表示される。そして、このインターフェイスに設けられたテキストボックス等に検索条件を入力（ステップ１−２に相当）して検索ボタンを選択（クリック）すると、上記した図１６に示す制御フローに則ってマッチング処理（医療モール用不動産物件の検索）が実行される（ステップ１−３に相当）。ここで、本実施形態において、上記図１６に示す一連のマッチング処理は、サーバ６０のデータ格納部２０に格納されているデータベースを参照しながら、クライアント端末１００側にインストールされているクライアント用アプリケーションにおいて実行される。
【０１１９】
上記したマッチング処理の結果、検索条件に合致する医療モール用不動産物件があった場合は、当該物件に関する詳細な情報が検索結果出力インターフェイスに一覧形式で表示される。また、検索結果出力インターフェイスにおいて、各医療モール用不動産物件の物件名等をクリックしたり、各物件に対応して設けられたボタンをクリックすると、クライアント端末１００にインストールされているＷｅｂブラウザ上にさらに詳細な情報が表示される。
【０１２０】
上記したように、本実施形態の情報提供システム５０は、クライアント端末１００側にインストールされているクライアント用アプリケーションを作動させることにより、サーバ６０との間でデータ格納部２０に登録されている医療モール用不動産物件に関する情報参照し、任意の条件を満足するものを選択することができる。そのため、本実施形態の情報提供システム５０によれば、上記した情報提供システム１を用いた場合と同様に、医療モールへの参加を希望している医師にとって有益な情報を提供することができる。また、本実施形態の情報提供システム５０によれば、医療モール用不動産物件の所有者や医療モールの運営母体等が希望する診療科の医師や医療機関を自己の医療モールに参加させ、大病院に勝るとも劣らないような医療モールを構築することができる。
【０１２１】
情報提供システム５０によれば、上記した情報提供システム１を採用した場合と同様に各医師等の希望に添った医療モールに関する不動産物件情報をスムーズに提供することができる。そのため、情報提供システム５０によっても、医師が独立開業する際に懸念される問題、具体的には自身の専門外である患者の相談を聞き入れたり、当該相談に応じるために自身の専門外の医療行為を行うことにより医師に負担がかかるのを抑制できる。従って、情報提供システム５０によれば、医師の独立開業を促進すると共に、医療モールと称される運営形態の医療機関の普及を促進することができ、いわゆる医療の一極集中化や地域による医療格差の拡大といった問題の解消に寄与しうる。
【０１２２】
本実施形態の情報提供システム５０においても、医療モール用不動産物件の立地に関する情報や、医療モール用不動産物件についての図面や写真、医療モールに集結する診療科の種類、診療圏に関するデータを医療モール用不動産物件を探している医師等に提供することができる。
【０１２３】
上記実施形態で示した情報提供システム１，５０は、いずれもリスト表示インターフェイスにより、検索結果をリスト形式で表示することができると共に、台帳インターフェイスにより、各物件毎に詳細情報を示すことができるものであったが、本発明はこれに限定されるものではない。具体的には、例えば台帳インターフェイスでの表示が行えないものであったり、台帳インターフェイスに表示されるような詳細な情報をリスト形式に纏めて表示する形態にする等、情報提供システム１，５０の使用者の便宜を考慮し、適宜インターフェイスを増減したり、各インターフェイスにおける表示形式や入力形式等を調整してもよい。
【０１２４】
上記実施形態で示した情報提供システム１，５０は、いずれも使用者認証手段４３を備えたものであり、情報提供システム１，５０の管理者からログインが許可された者だけが当該システム１，５０を使用可能なものであったが、本発明はこれに限定されるものではない。具体的には、使用者認証手段４３を設けず、あらゆるユーザがクライアント端末１００を用いて情報検索可能な構成としたり、使用者認証手段４３による認証を経ずにサーバ１０，６０に接続してきたユーザについて一部の機能を使用できないようにする使用制限を設けた構成としてもよい。
【０１２５】
上記実施形態で示した情報提供システム１，５０において実施されるマッチング処理は、ユーザが指定した検索条件の全てを満たす医療モール用不動産物件をピックアップするものであっても、一部の条件だけを満たすものまでを含めてピックアップするものであってもよい。換言すれば、上記情報提供システム１，５０は、検索条件の一部として、他の検索条件の全てを満足するものをピックアップするか、検索条件の一部だけを満足するものもピックアップするかについてを設定できるようにしてもよい。かかる構成によれば、ユーザの許容できる範囲内で幅広く医療モール用不動産物件の検索を行うことができる。
【０１２６】
情報提供システム１，５０は、検索条件として不動産物件に関する条件と診療科に関する条件の双方を設定可能なものであったが、本発明はこれに限定されるものではない。すなわち、必ずしも好ましい構成ではないが、情報提供システム１，５０は、立地条件や間取り、診療圏といったような不動産物件に関する情報だけを検索条件として設定可能なものであったり、診療科に関する条件だけを検索条件として設定可能なものであってもよい。
【０１２７】
上記した情報提供システム１，５０は、不動産物件に関する条件と、診療科に関する条件の双方を一度に設定するのではなく、段階的に設定する構成としてもよい。すなわち、情報提供システム１，５０は、第１段階目の検索条件として不動産物件に関する条件を設定して検索し、その後第２段階目の検索条件として診療科に関する条件を設定して検索する構成としたり、この逆の段階を経て検索する構成としてもよい。
【０１２８】
情報提供システム１，５０は、図１６に示す制御フローのように、検索条件として設定された不動産物件に関する条件や診療科に関する条件に基づいて数ある医療モール用不動産物件から条件を満足するものをスクリーニングし、その後約定者や約定予定者の有無や、約定者との診療科の重複について検討し、これらの条件を満足するものをピックアップするものであった。そのため、上記した情報提供システム１，５０によれば、約定者や約定予定者の有無や、約定者や約定予定者との診療科の重複まで考慮した上で適切な医療モール用不動産物件を検索者（ユーザ）に提供することができる。
【０１２９】
なお、上記した情報提供システム１，５０は、約定者や約定予定者の有無や、これらの者との診療科の重複を考慮して紹介する医療モール用不動産物件を選定するものであったが、これらの条件について検索しない構成としてもよい。かかる構成とした場合は、約定者や約定予定者の存在による事情を考慮して医療モール用不動産物件の紹介をすることはできないが、その分、情報提供システム１，５０において紹介する医療モール用不動産物件を選定するのに要する負荷が小さくて済む。
【０１３０】
上記実施形態で示した例では、医療モールを構築する医療機関の診療科目や、ユーザーたる医師等が検索条件として設定する診療科目を内科や外科といったような区分で分類したものであったが、本発明はこれに限定されるものではなく、専門性に基づく区分等でさらに細かい区分で分類してもよい。具体的には、内科をいわゆる一般的な内科（一般内科）や、循環器内科、精神内科、血液内科といったように分類したり、外科をいわゆる一般的な外科（一般外科）や、内臓外科、呼吸器外科、乳腺外科、血管外科、内視鏡外科といったような区分で分類する等してもよい。この場合、医療モール用不動産物件の検索にあたって、既に参入が決まっている医療機関等の診療科目と、検索条件として設定した診療科目とが内科や外科といったような大分類での区分で重複する場合であっても、これをさらに細分化した小分類での区分で重複しない場合に、参入可能な医療モールとしてピックアップする構成としてもよい。
【０１３１】
上記実施形態では、予めユーザー登録に際して登録された医師等のユーザーに関する情報、すなわち登録者マスタデータベース２８に登録されているデータを医療モール用不動産物件の検索に際して利用する構成を例示したが、本発明はこれに限定されるものではない。具体的には、ユーザーが情報提供システム１，５０を使用する度に、登録者マスタデータベース２８に登録されているデータに相当する情報を検索条件として設定する構成としてもよい。
【０１３２】
また、上記実施形態では、登録者マスタデータベース２８に登録されている各ユーザのデータを医療モール用不動産物件の検索に使用する構成を例示したが、本発明はこれに限定されるものではなく、検索に活用するだけでなく、クライアント用端末１００を介して医療モール用不動産物件の検索を行っているユーザーに対して各ユーザに関する情報に基づいて所定の広告等の情報提供を行う構成としてもよい。具体的には、各ユーザーの住所や性別、年齢、専門とする診療科目等に応じて、これに適した広告を行うための画像データや音声データ、動画データ等をクライアント用端末１００に表示させたり再生させる構成としてもよい。かかる構成によれば、情報提供システム１，５０のユーザーにさらに有益な情報を提供することができる。
【０１３３】
上記したようにして医療モール用不動産物件に入居する医師や医療機関を決定する事とした場合、使用する機器類や情報を医療モール用不動産物件に入居している医師や医療機関、薬局等で共用することができる。具体的には、医療モールに参入している医師や医療機関、薬局等で一般的に電子カルテ称されるシステムを共用する構成とすれば、医療モール用不動産物件に参入している各医師、医療機関から発信された薬剤の処方データを薬局に送信することができるため、当該医療モールの利用者（患者）が処方箋を薬局に持ち込まなくても、同一の医療モール内にある薬局で薬剤を受け取る等することができたり、薬剤が処方されるまでに要する待ち時間を解消あるいは短縮することができる等、利用者にとって利便性の高い医療モールを提供することができる。また、医療モールに参入している医師や医療機関同士で患者に関する情報、すなわち病歴や他の医療機関等で処方されている薬剤の履歴（薬歴）を共有することができ、医師等が患者を的確に診察できると共に、患者も最適な診療を受けることができる。
【０１３４】
上記実施形態で示した情報提供システム１，５０では、ユーザーは、クライアント用端末１００を用いてユーザーが検索した時点でのみ検索結果を知ることができる構成であるが、本発明はこれに限定されるものではなく、例えば所定の期間にわたって検索時に設定された条件を満足する医療モール用不動産物件が現れるかを追跡調査し、当該調査結果を適宜登録者マスタデータベース２８に登録されている各ユーザーのメールアドレス等に通知する機能を付加した構成としてもよい。かかる構成によれば、情報提供システム１，５０のユーザーにさらに好適な情報を提供することができる。
【０１３５】
上記実施形態で示した例では、クライアント用端末１００から情報提供システム１，５０にログインする際に、図７に例示したホームページを介してログインする構成を例示したが、本発明はこれに限定されるものではなく、直接的に情報提供システム１，５０にログインできる構成等としてもよい。また、上記実施形態では、検索条件となる地域を絞り込むために、図１０に示す検索インターフェイスに移行する前に図９に示す地域選択インターフェイスで地域を指定する構成であったが、図９の地域選択インターフェイスを持たない構成とし、図１０に示す検索インターフェイスにおいて地域を指定する構成としてもよい。
【図面の簡単な説明】
【０１３６】
【図１】本発明の第１実施形態にかかる医療モール構築用情報提供システムの構成図である。
【図２】図２業務メニューインターフェイスを示す正面図である。
【図３】物件情報管理用のユーザーインターフェイスにおいて基本情報タブを選択した状態を示す正面図である。
【図４】物件情報管理用のユーザーインターフェイスにおいて賃貸条件タブを選択した状態を示す正面図である。
【図５】物件情報管理用のユーザーインターフェイスにおいて図面タブを選択した状態を示す正面図である。
【図６】ドクター登録インターフェイスを示す正面図である。
【図７】情報提供システムの管理者が運営するホームページの一例を示す正面図である。
【図８】認証インターフェイスを示す正面図である。
【図９】地域選択インターフェイスを示す正面図である。
【図１０】検索インターフェイスを示す正面図である。
【図１１】リスト表示インターフェイスを示す正面図である。
【図１２】台帳インターフェイスを示す正面図である。
【図１３】台帳インターフェイスを示す正面図である。
【図１４】台帳インターフェイスを示す正面図である。
【図１５】医療モール構築用情報提供システムの動作を示すフローチャートである。
【図１６】医療モール構築用情報提供システムにおいてマッチング処理が実施される際の動作を示すフローチャートである。
【図１７】本発明の第２実施形態にかかる医療モール構築用情報提供システムの構成図である。
【符号の説明】
【０１３７】
１        医療モール構築用情報提供システム（情報提供システム)
１０，６０  サーバ
２０        データ格納部（データ格納手段）
２１        物件情報データベース
２２        物件画像データベース
３５        データベース構築手段
４０        データ検索手段
４３        使用者認証手段（接続権判定手段）
５０        医療モール構築用情報提供システム（情報提供システム)
７０        管理者用端末（データ管理装置）
７１        データ格納部（データ格納手段）
７２        台帳データ作成手段（閲覧用データ作成手段）
１００        クライアント端末
【図１】
2008192086.tif 000003
【図１５】
2008192086.tif 000004
【図１６】
2008192086.tif 000005
【図１７】
2008192086.tif 000006
【図２】
2008192086.tif 000007
【図３】
2008192086.tif 000008
【図４】
2008192086.tif 000009
【図５】
2008192086.tif 000010
【図６】
2008192086.tif 000011
【図７】
2008192086.tif 000012
【図８】
2008192086.tif 000013
【図９】
2008192086.tif 000014
【図１０】
2008192086.tif 000015
【図１１】
2008192086.tif 000016
【図１２】
2008192086.tif 000017
【図１３】
2008192086.tif 000018
【図１４】
2008192086.tif 000019